(57)【要約】【課題】  換気用のダクトを室内機背面に設けた空気調和機において、冷房時に外気導入運転を行って換気ダクト内に結露水が生じたとしても速やかに排水処理でき、支障なく運転を継続できる空気調和機を提供する。【解決手段】熱交換器で冷却された室内空気が流れる送風機のケーシングと、このケーシングの背面側に配置されて室外空気を室内に供給可能な換気ダクトとを備え、この換気ダクトは室外空気中の水分が冷房運転時にダクト内で結露した場合に結露水をダクトの外に排出可能な貫通孔をダクトの途中に有する空気調和機とする。【選択図】  図１
2006207837.tif 000002
【特許請求の範囲】
【請求項１】
冷房運転時に冷却器となる室内熱交換器と、この室内熱交換器に空気を流通させる送風機と、前記室内熱交換器で熱交換された空気が流れる送風機のケーシングと、このケーシングの背面側に配置されて室外空気を室内に供給する換気ダクトとを備えた空気調和器において、この換気ダクトの途中に設けられた貫通孔を備えた空気調和機。
【請求項２】
請求項１において、前記換気ダクトの貫通孔を覆うように吸水性を有する部材を設けた空気調和機。
【請求項３】
請求項１又は２において、前記換気ダクトは、結露水を排出する貫通孔を有する部分のダクト内面が隣り合う部分のダクト内面よりも下方に突出した形状の排水部を有する空気調和機。
【請求項４】
請求項１又は２において、前記換気ダクトは、結露水を排出する貫通孔を複数箇所に設けた空気調和機。
【請求項５】
請求項３において、前記換気ダクトは、貫通孔を有する部分と貫通孔を有しない部分が別部品で構成されている空気調和機。
【請求項６】
請求項１乃至５のいずれかにおいて、前記換気ダクトが室内機の底面に対し外気導入方向に下り勾配となるよう傾斜するようにした空気調和機。
【請求項７】
請求項１乃至６のいずれかにおいて、前記換気ダクトの内面に結露水の拡散促進処理を施した空気調和機。
【請求項８】
請求項３乃至７のいずれかにおいて、前記換気ダクトに抗菌剤を設けた空気調和機。
【請求項９】
請求項８において、前記抗菌剤は、換気ダクトを形成する樹脂に練り込まれている空気調和機。
【請求項１０】
請求項９において、前記抗菌剤は、銀系無機抗菌剤若しくはアリルイソチオシアン酸である空気調和機。
【発明の詳細な説明】
【技術分野】
【０００１】
本発明は換気装置を備えた空気調和機に係り、換気風路の結露水の処理に好適な空気調和機の構造に関するものである。
【背景技術】
【０００２】
従来この種空気調和機としては特許文献１の図１３に記載されているものがある。この特許文献１には、吸着体７に室外空気中の水分を吸着させ加湿に利用する構成が示されている。
【０００３】
また、特許文献２には、室内機内に室外機から冷媒が送られて熱交換する室内熱交換器
を配し、この熱交換器の両側に空間を設け、一方の空間に換気装置を収納してこの背面に
換気ダクトを引き出し、他方の空間から接続冷媒管を室内機の背面に引き出し、据え付けられる壁に開けられた室外に通じる壁孔の位置に応じて、いずれか一方の配管を、室内機
背面下部に水平に設けられた横長の収納部に収納するものが記載されている。
【０００４】
この収納部に換気ダクトを横引きする際、換気装置から背面に引出した換気ダクトはすぐに直角に折れ曲がるため、この折れ曲がり部に接続部材を設けると共に、室内機背面の
収納部内を水平に横引きし、横引きから壁孔に向かう所では半円形の接続部材を使用して
いる。
【０００５】
また、特許文献３には、室内機の一端に換気装置を配置し、室内機背面下部の水平な収
納室に両端部に開口部を設けた換気風路を水平に設置し、室内機の他端側から室外に通じ
る換気ダクトを配管する場合に、換気装置とこの換気風路、及び換気風路の他端と室外に
通じる換気ダクトとを接続具であるエルボにて接続することが記載されている。また、冷
媒配管はこの換気風路と設置される壁との間に配管するというものである。
【０００６】
【特許文献１】特開平９−２４３１０８号公報
【特許文献２】特開２０００−２７４７２７号公報
【特許文献３】特開２００３−１８５１７９号公報
【発明の開示】
【発明が解決しようとする課題】
【０００７】
しかしながら、特許文献１乃至３においては、室内を冷房している時に外気を導入する換気操作を行うと、室内の冷房雰囲気で冷やされた換気ダクトの内部に室外空気が流れるため、換気ダクトの内表面に結露を生ずる可能性について何ら考慮する記載が無い。結露の量が少ないうちは何の支障もなく冷房、換気(外気導入)の運転を継続できるが、長時間の運転で結露の量が多くなると、滞留した結露水がダクト内の小さな堰や凸部を乗り越えたり、滞留した結露水の表面が導入外気によって波立ったり、又はダクトの天面や側面に結露した結露水が落下若しくは又は流下したりする。
【０００８】
この時、換気ダクトに対して、結露水の処理についてなんの考慮もしていないため、そ
の一部が小水滴となって導入外気流に乗って導入外気と共に室内に吹き出し、導入外気の
吹出し口の周囲あるいはその下方に位置する床面等室内を濡らしてしまうと言う問題が生
ずる虞がある。
【０００９】
本発明の目的は、換気用のダクトを室内機背面に形成した空気調和機において、冷房時に外気導入運転を行って換気ダクト内に結露水が生じたとしても速やかな排水処理ができ、支障なく冷房運転を継続できる空気調和機を提供することにある。
【課題を解決するための手段】
【００１０】
上記目的は、冷房運転時に冷却器となる室内熱交換器と、この室内熱交換器に空気を流通させる送風機と、前記室内熱交換器で熱交換された空気が流れる送風機のケーシングと、このケーシングの背面側に配置されて室外空気を室内に供給する換気ダクトとを備えた空気調和器において、この換気ダクトの途中に設けられた貫通孔を備えることにより達成される。
【発明の効果】
【００１１】
本発明によれば、換気用のダクトを室内機背面に形成した空気調和機において、冷房時に外気導入運転を行って換気ダクト内に結露水が生じたとしても速やかな排水処理ができ、支障なく冷房運転を継続できる空気調和機を提供することができる。
【発明を実施するための最良の形態】
【００１２】
以下、本発明による空気調和機の実施形態を図を用いて説明する。
【００１３】
本発明の実施形態の空気調和機について図１〜図１０を参照しながら説明する。図１は本発明の第一実施形態の空気調和機における図２に図示の室内機に化粧カバーを装着した状態のＡ−Ａ断面図、図２は図１の室内機の化粧カバーを取り外した状態の正面図、図３は図１の背面斜視図、図４は図３における換気装置の通風ダクト接続部の拡大斜視図、図５は換気装置用風路に用いる第２アダプターの外観斜視図、図６は換気装置用風路に用いる第３アダプターの外観斜視図、図７は第２アダプターの共用化を説明する背面斜視図、図８は本発明の第二実施形態であるベースと別体の換気ダクトを備える室内機の断面図、図９は本発明の第三実施形態である円形パイプ状の換気ダクトを備える室内機の背面斜視図、図１０は図９における円形パイプ状換気ダクトの貫通孔部分の断面図、図１１は円形パイプ状の換気ダクトを複数部品で構成する実施例の正面図、図１２は図１１における貫通孔を有する排水ダクトの斜視図である。
【００１４】
図１、図２および図３に示すように、空気調和機は室内機1と室外機（図示せず）を接続冷媒管２で結び室内の熱交換器３等とともに密閉冷凍サイクルを構成している。室内機1は壁面に設置され、室内機1からはドレンホース４、換気用の通風ダクト５が前記接続冷媒管２とともに同一の壁孔を通して室外に引き出されて使われるセパレート形の空気調和機である。運転操作はリモコン６（遠隔操作）により行われる。
【００１５】
熱交換室１０内の熱交換器３と接続された補助冷媒管１０ａは、配管室１１から縦長収納室１４ｂに導き出され、その下方の背面下部収納部１４ａに向かう。この補助冷媒管１０ａは背面下部収納部１４ａに収納されて出荷され、図３中に２点鎖線線で示すように、別途用意されて室外機に連結される接続冷媒管２と背面下部収納部１４ａ内で接続され、室外機とともに密閉冷凍サイクルを構成する。
【００１６】
背面の側端部収納部１４ｂはその下方の背面下部収納部１４ａに連続しており、この背面下部収納部１４ａが補助冷媒管１０ａ、接続冷媒管２を横引配管する時の配管の収納部および接続冷媒管２を曲げるための空間となっている。このため、換気装置室１２側の背面下部収納部１４ａを広くすることは接続冷媒管の曲げ作業時の管潰れ防止などの効果がある。
【００１７】
室内機１は全体形状が横長であり、箱体は前面、側面および上下面を包囲する樹脂製の化粧カバー７と背面を閉鎖する樹脂製のベース８を備えている。幅方向の中央には熱交換器３と室内送風機９とを上下に並置した熱交換室１０が配置され、この熱交換器３の両端に右仕切板８ｃ及び左仕切板８ｂを境にして空間を有し、一方の空間を熱交換器３のベント管や除湿運転用の絞り装置等を収納する配管室１１とし、他方の空間を換気装置２３を収納する換気装置室１２としている。
【００１８】
化粧カバー７には前面に室内空気の熱交換吸込口７ｓａ、上面に熱交換吸込口７ｓｂを備え、下方には熱交換吐出口７ｄが設けられている。また、換気装置室１２に対向する箱体前面には換気の空気の室内空気取入口１２ｓが設けられ、箱体横幅の中央に換気空気の室内空気吹出口１２ｄが設けられている。
【００１９】
図１において、熱交換室１０に対向する前面位置に化粧カバー７を覆うように前面パネル１３が設けられている。この前面パネル１３は、室内空気吹出口１２ｄの下側を下端（熱交換吐出口７ｄの上端）とし、前面パネル１３を回動する回転の支点１３ａ付近を上端としている。この前面パネルを回動させて閉めたときには、熱交換吸込口７ｓａを構成するとともに、後述する室内制御装置２６を覆う。また、換気用の室内空気吹出口１２ｄが前面パネル１３によって塞がれないような形状となっている。
【００２０】
ベース８には背壁８ａと、熱交換室１０との循環空気の風路を区画する左右仕切板８ｂ、８ｃが一体に形成されており、機器類もこのベース８に搭載されている。また、図１に示すように、ベース８の背壁８ａ下部は熱交換後の空気を斜め下前方に案内するために滑らかに前面側に突き出されたケーシング８ｄを形成しており、その強度を上げるため突出部８ｅの最下端が背面側に屈曲して形成されている。
【００２１】
ベース８の、上記前方突き出し位置に相当する背面は、後から見れば横長のへこみ部が形成されており、このへこみ部を、接続冷媒管２、ドレンホース４等を横引き、あるいは製品出荷時に補助冷媒管１０ａ、ドレンホース４等を収納する背面下部収納部１４ａとしている。ベース８背面には上記背面下部収納部１４ａのほかに、換気ダクト１５、換気装置２３の通風開口部１６、補助冷媒管１０ａの背面の側端部収納部１４ｂ、背面樋１７が配置されている。ベース８の背面上部には、壁に固定した据付板(図示せず)に引掛けて室内機１を壁に据付るための引掛部８ｊを有している。
【００２２】
換気ダクト１５は換気風路の一部を形成するもので、図３の図示のように左端から冷媒配管２と共に室外に出す場合は必要であるが、右端から室外に出す場合は不要である。この換気ダクト１５は図３に図示の右方向に行くに従って上下方向の位置が上がるように設けられ、ベース８の底面と換気ダクト１５の底面を上下面とする背面下部収納部１４ａの高さが、換気装置室１２側に行くほど高くなっている。言い換えると、室内機のベース８底面に対し外気導入方向に下り勾配となるよう傾斜している。
【００２３】
これにより、外気導入運転時に換気ダクト１５内部に結露した結露水が、室外に自然流下により排出できるようにしてある。また換気ダクト１５は、室内送風機９後方のケーシング８ｄの背面側に設けられることから、ベース８の背面よりも外に出ない様に奥行寸法を制限しながら所要の通風面積を得るため、高さ寸法を大きくした縦長の断面を有している。このように換気ダクト１５を縦長にすることによって、換気ダクト１５を配設するケーシング８ｄの背面側空間の奥行寸法を小さくできるので、室内機１の全体の奥行を小さく抑える効果も得られる。
【００２４】
また換気ダクト１５は、内面に結露水の拡散促進処理を施して吸込んだ外気中の水分が結露したとしても蒸発し易いようにしている。
【００２５】
この換気ダクト１５の構造は、図１に示すように、側面の一方と上面及び下面をベース８と一体に射出成形されて成り、もう一方の開放した側面にカバー板１５ａを取り付けることでダクトを構成している。更にこの換気ダクト１５は、室外空気中の水分が冷房運転時にダクト内で結露した場合に結露水をダクトの外に排出可能な貫通孔１５ｄを有している。この貫通孔１５ｄは、換気ダクト１５の中央より換気装置２３から遠くなる位置のいずれかに設けられている（図２の略中央の断面であるＡ−Ａ断面を示す図１には、排水部１５ｂの下部に設けられた貫通孔１５ｄが示されている）。また、上記貫通孔を有する部分のダクト内面を、隣り合う部分のダクト内面よりも下方に突出した形状とした排水部１５ｂを有している。上記貫通孔１５ｄを覆うように吸水性及び断熱性を有する断熱部材１５ｃを設けている。
【００２６】
上記のように、換気ダクト１５が室外空気中の水分が冷房運転時にダクト内で結露した場合に結露水をダクトの外に排出可能な貫通孔１５ｄを有していることにより、次のような効果を得ることが出来る。結露した水がダクト内面に長時間停滞することを防止できるので、外気中の菌が繁殖するのを防止若しくは抑制できる。換気ダクト１５で室外空気を室内に供給できるので、室内を密閉して冷房運転しても安心して室外空気を室内に供給することができるので、窓を開けることなく室内空気の汚れの進行を抑制することが出来るとともに、必要以上の外気の流入による室温の上昇を防止して省電力の効果も得られる。
【００２７】
しかも、冷房運転時や北側の部屋等のように、室外空気の温度よりも室内空気の温度が低いときに室外空気を吸込んで室外空気中の水分が換気ダクト１５内で結露しても、結露水を換気ダクト１５の外に排出可能な貫通孔を有するので、換気ダクト１５内に結露水が溜まることを防止できる。延いては、結露水が溜まった場合に思いも寄らないところから結露水が溢れ出して、室内を汚したり電気機器を損傷することを防止できる。しかも、上記のとおり換気ダクト１５内に結露水が溜まって思いも寄らないところから溢れ出ないことから、結露水が生じる条件での室外空気を室内に供給することを心配することなく安心して行うことが出来、省電力の効果も得られる。
【００２８】
また、上記換気ダクト１５の貫通孔を有する部分のダクト内面を、隣り合う部分の換気ダクト１５内面よりも下方に突出した形状の排水部１５ｂとしていることにより、結露した水が排水部１５ｂに流下して速やかに貫通孔から排水されることになり、長時間停滞することが防止されて外気中の菌が繁殖するのを防止若しくは抑制できる。
【００２９】
また、貫通孔を有する部分を複数箇所に有することにより、排水がより速やかに行われるばかりか、予期しない何らかの原因で貫通孔が万一排水不能に塞がれてしまった場合でも全ての箇所が排水不能に塞がれる可能性は極めて少なく、排水が行える。
【００３０】
更には、上記換気ダクト１５の貫通孔を覆うように吸水性及び断熱性を有する断熱部材１５ｃを設けていることにより、相対的に低い温度の室内空気が貫通孔からダクト内に流入することを防止できる。これによって、相対的に温度の高い室外空気が相対的に温度の低い室内空気で直接冷却されることを防止して、換気ダクト１５内の直接冷却による空気中の水分の結露を防止できる。しかも、吸水性を有することから、外面から冷却されてダクト内で水分が結露しても結露水をダクトの外に吸水して蒸発させることができる。延いては、ダクトの外に排出するための貫通孔の大きさを、貫通孔のみでは水の表面張力で排出できない程度まで小さくしても吸水し排出することができることから、貫通孔によるダクトの強度低下を最小限にすることができる。強度低下を最小限にできるので、ダクトを薄肉にして省資源及び軽量化、加工の容易性及び加工時間の短縮ができる。更に結露した水をダクトの外に吸水して蒸発させることができるので、結露水がダクト内に溜まり難くなって外気中の菌がダクト内の結露水中で繁殖するのを防止できる。
【００３１】
換気用の通風開口部１６は、図１及び図３の図示のように換気装置室１２の背面に位置し、換気ダクト１５の一端の近傍であって、換気ダクト１５から幅方向外側で、傾斜して設けられた換気ダクト１５の延長上に設けられている。この換気用通風開口部１６と換気ダクト１５とは直接接続されず、第１アダプター１９によって両者が連通するように構成されている。この第１アダプター１９は背面に突出することなくコンパクトに作られている。
【００３２】
このように、傾斜して設けられた換気ダクト１５と換気用通風開口部１６が一直線上に配置されるので換気用通風開口部１６は換気ダクト１５よりも高い位置になり、換気ダク
ト１５内に結露水が生じても換気装置室１２側に流入することはない。
【００３３】
背面樋１７は、背面に露が生じた場合の水滴を受けるためのものである。
【００３４】
次に換気装置２３から通風ダクト５で室外に開口するまでのダクト引き回し構造について説明する。換気ダクト１５を使用するときは、図３、図４に示すように通風開口部１６と換気ダクト１５の一端の開口部とを第１アダプター１９でつなぎ、換気ダクト１５の他方端に第２アダプター２０を取り付け、傾斜して設けられた換気ダクト１５から延長した直線上にあけられた開口部２０ｂに通風ダクト５を挿入することで接続される。通風ダクト５の固定はバネバンド２８等による。通風ダクト５は家屋の内壁と外壁に開口された孔を挿通して室外に導き出される。
【００３５】
また、図３に示すように、換気ダクト１５および第２アダプター２０は、接続冷媒管２が二点鎖線に示すように図３の右側から室外に出されたとしても、換気ダクト１５は固定されており、この下方に背面下部収納部１４ａが設けられ、ここに接続冷媒管２を配管収納することができる。第１アダプター１９および第２アダプター２０は、ネジによりベース８に固定される。
【００３６】
次に室内機１の内部構成と併せ運転動作を説明する。室内送風機９は横長な貫流ファンであってその駆動用モータ２１は右仕切り８ｃの外側、すなわち配管室１１に配置されている。前側熱交換器３ａ、後側熱交換器３ｂは図１に示すように室内送風機９の吸込側となる前方および上方に略逆Ｖ字状にして左右仕切板８ｂ、８ｃ間で支えられている。
【００３７】
室内空気は室内送風機９を運転することにより熱交換吸込口７sａ、７sｂを通して吸い込まれ、熱交換器３と熱交換してから室内送風機９を通り、熱交換吐出口７ｄから室内に戻されて所定の冷房あるいは暖房が行われる。配管室１１には図２に示すように前記熱交換器３の補助冷媒管曲げ部１０ｂ、冷媒分配接続部１０ｃ、その他サイクル構成の機器類（図示せず）等が前記室内送風機９の駆動用モータ２１とともに収納されている。
【００３８】
露受部２２ａ、２２ｂは図１に示すように熱交換器３の下端に設けられ、冷房運転時の凝縮水を受け、背面樋１７からのドレンと共に、ドレンホース４により壁孔を通し室外に導く。
【００３９】
換気装置室１２には換気装置２３が設置され、換気送風機１８は室内空気取入口１２ｓから室内空気、または通風開口部１６から外気を吸込み、室内吹出ダクト２４を通って室内空気吹出口１２ｄから導入外気若しくは循環室内空気、または通風開口部１６から室内の排気空気を吹出す構成となっている。
【００４０】
また、換気送風機１８を挟んで吸込側と吐出側に通風方向を切替える風路切替扉１２ｅ、１２ｆが用いられて、背面通風開口部１６側の通風を可能にして給気用（外気を導入する）、あるいは排気用（室内空気を排出する）としたり、上記通風開口部１６を閉鎖して室内から吸い込み、室内に戻す循環などの三種類の流れを作り出せるものとなっている。
【００４１】
また、室内吹出ダクト２４の途中には除菌フィルター２５が挿入係止されており、除菌した空気を室内空気吹出口１２ｄから吹出すことができる。この除菌フィルター２５は前面パネル１３を開けば、ワンタッチで取付け取外しができ、メンテナンスも容易である。
【００４２】
次に、三種類の通風構成について、図２中に模式的に示した流線矢印を参照して説明する。第１には給気（外気導入）運転として白抜き矢印で示すように、ベース８背面の通風開口部１６を通して室外空気を取り込み、換気送風機１８、露受部２２ａ前面に設けられた吹出ダクト２４を通して、室内機１の略中央に配置された室内空気吹出口１２ｄより室内に新鮮な空気を供給する。
【００４３】
第２には排気運転として黒塗り矢印で示すように、室内空気を室内空気取入口１２ｓから取り込み、室外に排気する。第３には循環運転として破線矢印で示すように、室内空気を室内空気取入口１２ｓから取り込み、室内空気吹出口１２ｄより再び室内に戻す。
【００４４】
背面の通風開口部１６（室外に通じる）は給気と排気の両用として使用され、室内の室内空気取入口１２ｓは吸い込み専用として使用され、室内空気吹出口１２ｄは吹き出し専用として使用されるものである。制御装置２６は、リモコン６の操作指令に基づき所定の制御を行う。表示装置２７は運転状態を表示するものである。
【００４５】
上記の構成は、壁孔が換気装置２３の位置と反対方向に離れている。すなわち配管室１１に略対向する壁位置に貫通孔が設けられている場合であり、換気ダクト１５を利用して（横引き）通風路を確保する必要がある。これを図３、図４を中心に用いて説明する。換気ダクト１５は、後側熱交換器３ｂの露受部２２ｂの下部であって、室内送風機９の後のケーシング８ｄの背面に形成されている。
【００４６】
そしてその下部に接続冷媒管２及びドレンホース４が横引きされる際に収納される空間である背面下部収納部１４ａが設けられている。また、換気ダクト１５は熱交換室１０のほぼ幅範囲の横長に配置され、第１アダプター１９が換気装置２３の背面で、換気装置２３の通風開口部１６と前記換気ダクト１５間を結び両者を接続している。
【００４７】
出荷時の補助冷媒管１０ａの処理と据付作業により背面下部収納部１４ａとしての必要空間が横幅方向で異なるのを利用して、幅方向全体に無駄のない必要最小限の高さ寸法Ｈａ、Ｈｂを確保してある。これにより、導出のための接続冷媒管２の曲げ作業および収納まとめ作業が容易に行える。
【００４８】
換気ダクト１５の他方端、すなわち仕切板８ｃで区画された配管室１１の背面位置には、第２アダプター２０が取付けられ換気ダクト１５と接続されている。第２アダプター２０には、後方に向けた円形の開口部２０ｂが形成され、この円形の開口部２０ｂには、室外に導かれる通風ダクト５が接続されている。この部分の接続の固定は、前述の如く、開口部２０ｂの外周に通風ダクト５を挿入して、リング状のバネバンド２８で押さえることにより終了する。
【００４９】
細部の構成としては、図３、図５に示すように、第２アダプター２０の開口部において、通風ダクト５に対向する開口部２０ｂの形状は円形となし、換気ダクト１５に対向する開口部２０ａの形状はコンパクトながら通風面積を確保し易い略矩形となしている。また、通風ダクト５に対向する開口部２０ｂは傾斜して設けられた換気ダクト１５の延長上に位置し、必然的に換気ダクト１５に対向する開口部よりも低い位置に形成されている。
【００５０】
また、通風ダクト５に対向する開口部２０ｂは、背面下部収納部１４ａの上方位置とし、下部に接続冷媒管２、ドレンホース４を横引きにする場合の空間を確保している。また、第１アダプター１９、換気ダクト１５、又は第２アダプター２０内に結露水が生じた場合も、この結露水はダクトの傾斜に従って流下し、順次通風ダクト５に達し、更に、室外に向かって先下がりに設置した通風ダクト５内を通って室外に排出できる。
【００５１】
加えて、この第１アダプター１９、換気ダクト１５、第２アダプター２０の内面に化学的な親水化処理層を形成することで、結露水の処理がより確実になる。これは、結露水の拡散を促進することにより、結露水が大きな水滴に成長するのが妨げられ、外気導入時の通風によっても、結露水が導入外気に取り込まれることが無くなるためである。これにより、室内機１の空気吹出口１２ｄ周囲が濡れることが無くなる。
【００５２】
さらに、結露水の拡散を促進することによって、結露水が滞留することが無く、流下が促進され、結露水がスムーズに室外に排出される。結露水の拡散を促進する手段としては前記の親水化処理以外にも、ダクト内面にしぼ（甍）模様、梨地模様、ヘアライン模様等の微細な凹凸を設ける、高低差の有る溝をダクト内面に設ける、又は布（不織布を含む）等の親水性材料をダクト内面に貼りつけても同様の効果が有る。これらの手段はダクト内面の全面に施す必要は無く、水滴が成長し易い場所に限って施しても効果は同様である。
【００５３】
これまでの説明は、壁孔が換気装置２３の位置と反対方向（配管室１１側）に離れていて、壁孔が配管室１１に略対向する壁位置に設けられている場合であるが、壁孔が室内機１の背面から外れて、室内機１の横方向にある場合には、円形開口部を横方向に向けた図５の（Ｒｂ）に示す横向きの第２アダプター２０が用意されており、これを使用して通風ダクト５に接続することができる。すなわち、室内機１からの引き出しは本体にあらかじめ施されたミシン目に沿って側面切抜部２９ａを切外して開口部を作り引き出される。
【００５４】
また、壁孔が室内機１の背面から外れて、室内機１の下方向にある場合には、円形開口部２０ｂを下方向に向けた図５の（Ｒｃ）に示す下向きの第２アダプター２０が用意されており、これを使用して通風ダクト５に接続することができる。室内機１からの引き出しは同様に本体側面にあらかじめ施されたミシン目に沿って下面切抜部２９ｂを切外して開口部を作り引き出される。
【００５５】
前記の構成では、図５（Ｒｂ）に示す横接続用第２アダプター２０と図５（Ｒｃ）に示す下接続用第２アダプター２０は別々の部品で共用はできないが、換気ダクト１５の傾斜を配管室１１側で下向の４５度にすることにより、図７に示すように壁孔が室内機１の横に有る場合と、壁孔が室内機１の下に有る場合について、第２アダプター２０を裏返して取付けることで、両方向のダクトの接続に対応でき、部品の共用化を図れ、コストダウンに有効である。
【００５６】
次に、換気装置２３の近くに壁孔があって横引き（換気ダクト１５）を必要としないときで壁孔が直後方にある場合には、円形開口部３０ｂを後方に向けた図６の（Ｌａ）に示す第３アダプター３０が用意されており、これを換気装置２３の通風開口部１６に取付け、これを使用して通風ダクト５に接続することができる。この場合、接続冷媒管２は図３に二点鎖線で示すように横引き終了部から後方の壁孔（図示省略）に向かって９０度曲げられている。
【００５７】
曲げ部２ａは前述したように据付け作業者により目測で補助冷媒管１０ａとの接続前に、おおよその長さで曲げられ、接続後に背面下部収納部１４ａの収納スペースに合わせて、仕上げの修正作業が行なわれ、背面下部収納部１４ａに最外方から押さえ具３２により固定して収納させている。
【００５８】
さらに、壁孔が室内機１の横方向にある場合には、円形開口部３０ｂを横に向けた図６の（Ｌｂ）に示す横向きの第３アダプター３０が用意されており、これを換気装置２３の通風開口部１６に取付け、これを使用して通風ダクト５に接続することができる。室内機１からの引き出しは本体側面にあらかじめあらかじめ施されたミシン目に沿って側面切抜部２９ｃを切外して開口部を作り引き出される。
【００５９】
さらにまた、壁孔が下方向にある場合には、円形開口部３０ｂを下方向に向けた図６の（Ｌｃ）に示す下向きの第３アダプター３０用意されており、これを換気装置２３の通風開口部１６に取付け、これを使用介して通風ダクト５に接続することができる。室内機１からの引き出しは同様に本体下面にあらかじめ施されたミシン目に沿って下面切抜部２９ｄを切外して開口部を作り引き出される。
【００６０】
補助冷媒管１０ａは、図３中に二点鎖線で示すように、配管室１１の背面から縦長収納室１４ｂを通って背面下部収納部１４ａに引き出され、接続冷媒管２と接続される。
【００６１】
この場合、第３アダプター３０の通風ダクト５に対向する開口部３０ｂの上下方向位置は、接続冷媒管２を包囲する断熱材の太さも考慮して、これより上側に位置させてあるので、接続冷媒管２と通風ダクト５の重なりが無くなり、アダプターのコンパクト化のほか、室内機1の全体厚みの縮減にも貢献できる。第３アダプター３０はネジ固定位置３０ｃを同じにして、共用化と簡素化をはかっている。通風ダクト５との接続は円形開口部３０ｂ外側に通風ダクト５を挿入し、円形のバネバンド２８で固定される。
【００６２】
換気ダクト１５を用いる場合。通風開口部１６と換気ダクト１５とを接続するアダプター１９は必須となる。そして、換気ダクト１５と通風ダクト５とを接続する３種類のアダプター２０（後方接続用Ｒａ、横接続用Ｒｂ、下方接続用Ｒｃ）のうちのいずれか一つを使用する。また、換気ダクト１５を用いない場合。通風開口部１６と通風ダクト５とを接続する３種類のアダプター３０（後方接続用Ｌａ、横接続用Ｌｂ、下方接続用Ｌｃ）のうちのいずれか一つを使用する。
【００６３】
以上に説明した第一実施形態では換気ダクト１５の一つの側面と上面、下面をベース８と一体で射出成形して得られる構成について述べている。しかし、本発明は前記のように、換気ダクト１５の一つの側面と上面、下面をベース８と一体に構成するものばかりではなく、図８に示す第二実施形態ように室内機１のベース８とは切離された別体の換気ダクト１５を室内機１のベース８に設けた係止部８ｆ、８ｇに換気ダクト１５に設けた係止片１５ｄ、１５ｅを合わせ、例えばネジ等の係止具により、換気ダクト１５を室内送風機の背面を横断する部分で外気に向かって単調な下り勾配となるよう傾斜して固定する手段を採用しても同様の効果を得ることができる。
【００６４】
壁孔が換気装置室１２側にあって補助冷媒管１０ａが背面下部収納部１４ａを通る場合は、換気ダクト１５は不要になり取付けないので、第２アダプター２０の通風ダクト５に対向する開口部２０ｂの高さを背面下部収納部１４ａの上方位置にとどめる必要が無い。
【００６５】
このため、換気ダクト１５の配管室１１側の高さは、第２アダプター２０の通風ダクト５に対向する開口部２０ｂの位置が補助冷媒管１０ａより下でベース８の底面より上となるように決定することができ、換気ダクト１５の傾斜をより大きくすることにより、結露水の室外への排出がよりスムーズになる。また、これまでの説明は室内機１の背面とケーシング８ｄとの距離が最も小さい部分を上下に跨ぐ形で換気ダクト１５を設置しているため、換気ダクト１５の断面を縦長の略矩形断面で説明している。
【００６６】
しかし、所要の通風断面積を確保できれば円形断面のダクトでも良い。この場合は図９及び図１０に示す第三実施形態のように、円形パイプ状の換気ダクト３１を室内機１の背面とケーシング８ｄとの距離が最も小さくなる位置を避けて、通風開口部１６から一端、換気装置室１２内を下に下がり、ケーシング８ｄが室内機１の前方に突出し背面下部収納部１４ａの奥が深くなり、円形パイプ状の換気ダクト３１を横引きで通せるところに達した位置から円形パイプ状の換気ダクト３１の横引きを開始し、配管室１１側の所定高さまで、単調な下り勾配で室内機１の熱交換室１０部分を横断する。
【００６７】
この場合の下り勾配は、その換気装置室１２側の横断開始位置が下がるものの、前述のように、配管室１１側の位置も下がるので、結露水のスムーズな流下に充分な傾斜を保つことができる。通風開口部１６との接続は、第1アダプター１９のダクト側開口部１９ｂの外周に円形パイプ状の換気ダクト３１を挿入して、リング状のバネバンドで押さえることにより終了する。また、円形断面の汎用ダクトを使用できるので入手し易く取付性も良い。図３と同様に、出荷時の補助冷媒管１０ａの処理と据付作業により背面下部収納部１４ａとしての必要空間が横幅方向で異なるのを利用して、幅方向全体に無駄のない必要最小限の高さ寸法Ｈａ、Ｈｂを確保してある。
【００６８】
上記の場合、円形パイプ状の換気ダクト３１はその曲げ部で潰れ易く、また、潰れないまでも長円状に変形する。長円状の変形が小さければダクトとしての機能に大きな支障はないので、円形ダクト３１の係止片１５ｇ、１５ｈは円形パイプ状の換気ダクト３１が大きく潰れないように円形断面を概略保持できるものであれば良く、また、室内機１の背面から飛び出無いように、室内機１の内部に引込むように円形パイプ状の換気ダクト３１を支持し、ベース８に設けた係止部８ｈ、８ｉに室外に向かって単調な下り勾配で係止される。
【００６９】
このようにすることにより、円形パイプ状の換気ダクト内に結露した結露水を円形パイプ状の換気ダクト３１の下り勾配によりスムーズに室外に排出することができる。
【００７０】
しかも、この円形パイプ状の換気ダクト３１は、第一の実施形態及び第二の実施形態の換気ダクトと同様に貫通孔３１ｂを有する排水部３１ａが形成されている。すなわち、上記貫通孔３１ｂを有する部分のダクト内面を、隣り合う部分のダクト内面よりも下方（図１０では斜め下方）に突出した形状とした排水部３１ａを有している。上記貫通孔３１ｂを覆うように吸水性及び断熱性を有する断熱部材３１ｄを設けている。この断熱部材３１ｄの材質としては、吸水性のみならず給水した結露水を拡散させて蒸発を促進可能にするための拡散性を具える材料としてフェルトを用いた。フェルトの厚さは０．５mmから１．０mmが吸水及び貼り付け易さの点で好ましい。排水部３１ａの突出した形状および接着剤の種類によって選択すれば良いが、本実施例の形状及び両面テープ使用では０．７mmが貼り付け易かった。フェルト以外のものでも、繊維質のものであれば給水した結露水は繊維方向に拡散するので、発泡性の断熱材よりも蒸発が促進されるので好ましい。
【００７１】
この吸水性及び断熱性を有する断熱部材３１ｄは、貫通孔３１ｂを有する部分の外表面への貼り付けを両面テープ若しくは粘着剤等の接着手段で貼り付ける。この貼り付けは結露水が直接に断熱部材３１ｄに吸水できるようにするため、貫通孔３１ｂを接着手段が覆わないようにしている。尚、換気ダクト３１の外表面は、ダクト断熱材３１ｃで室内空気に対して熱的に遮断して、パイプ内部への結露発生を防止している。このダクト断熱材３１ｃの厚さは２．５mmの発泡断熱材を使った。
【００７２】
このように換気ダクトの貫通孔３１ｂを覆うように吸水性及び断熱性を有する断熱部材３１ｄを設けたので、相対的に低い温度の室内空気が貫通孔３１ｂからダクト内に流入することを防止できる。これによって、相対的に温度の高い室外空気が相対的に温度の低い室内空気で直接冷却されることを防止して、ダクト内の直接冷却による空気中の水分の結露を防止できる。しかも、吸水性を有することから、外面から冷却されてダクト内で結露しても結露水をダクトの外に吸水して蒸発させることができる。延いては、ダクトの外に排出するための貫通孔３１ｂの大きさを、貫通孔３１ｂのみでは水の表面張力で排出できない程度まで小さくしても吸水し排出することができることから、貫通孔３１ｂによるダクトの強度低下を最小限にすることができる。強度低下を最小限にできるので、ダクトを薄肉にして省資源及び軽量化、加工の容易性及び加工時間の短縮ができる。更に結露した水をダクトの外に吸水して蒸発させることができるので、結露水がダクト内に溜まり難くなって外気中の菌がダクト内の結露水中で繁殖するのを防止できる。
【００７３】
また、図１０に図示のとおり、貫通孔３１ｂを覆う吸水性を有する断熱部材３１ｄを、ケーシング８ｄの本体部８ｄ′の背面側に貼り付けられたケーシング断熱材８ｄ″に接するように配設している。これにより、断熱部材３１ｄに吸水した結露水をケーシング断熱材８ｄ″でも蒸発させるようにしている。
【００７４】
上記のような円形パイプ状の換気ダクト３１は、図１１に示すように貫通孔３１ｂ′を設けた排水部３１ａ′部分の換気ダクト３１′と貫通孔３１ｂ′を有しない円形パイプ状部分の換気ダクト３１″とを別部品としてもよい。図１２は貫通孔３１ｂ′を有する部分の換気ダクト３１′の斜視図である。このように、貫通孔３１ｂ′を設けた換気ダクト３１′と貫通孔３１ｂ′を有しない換気ダクト３１″とを別部品としたことにより、貫通孔を有する部分のみを型で成型して製造し、貫通孔を有しない円形パイプ状部分の換気ダクト３１″は汎用の部品を利用することができるので、小さな型にでき型の製作費用が極めて安価にでき且つ、部品単価も安価にできる。貫通孔３１ｂ′からの結露水は、上記同様、貫通孔３１ｂ′を覆う吸水性を有する断熱部材３１ｄによって処理される。
【００７５】
このような効果の他に上記第三の実施形態は、上記第一実施形態及び第二実施形態と同様な効果を得られるものである。
【００７６】
さらに、上記全ての実施形態において、換気ダクトに抗菌剤を設けた。換気ダクトに抗菌剤を設けたことにより、長年の使用によってダクト内部が汚れたとしても、結露水の速やかな排水の効果もあるため菌の繁殖を抑制できる。上記抗菌剤は、換気ダクトを形成する樹脂に練り込むのが製造上及び長期の抗菌効果を得る上で好ましい。上記抗菌剤としては、銀イオンの作用により菌の繁殖を防ぐ銀系無機抗菌剤若しくは抗菌・消臭作用を有するアリルイソチオシアン酸（わさびの中に含まれており安全性高い）を用いており、樹脂の中に練り込んだ。
【図面の簡単な説明】
【００７７】
【図１】本発明の第一実施形態の空気調和機における図２に図示の室内機に化粧カバーを装着した状態のＡ−Ａ断面図。
【図２】図１の室内機の化粧カバーを取り外した状態の正面図。
【図３】図１の背面斜視図。
【図４】図３における換気装置の通風ダクト接続部の拡大斜視図。
【図５】本発明の換気装置用風路に用いる複数の第２アダプターの外観斜視図。
【図６】本発明の換気装置用風路に用いる複数の第３アダプターの外観斜視図。
【図７】本発明の第２アダプターの共用化を説明する背面斜視図。
【図８】本発明の第二実施形態であるベースと別体の換気ダクトを備える室内機の断面図。
【図９】本発明の第三実施形態である円形パイプ状の換気ダクトを備える室内機の背面斜視図。
【図１０】図９における円形パイプ状換気ダクトの貫通孔部分の断面図。
【図１１】円形パイプ状の換気ダクトを複数部品で構成する実施例の正面図。
【図１２】図１１における貫通孔を有する排水ダクトの斜視図。
【符号の説明】
【００７８】
１…室内機、２…接続冷媒管、２ａ…曲げ部、３…熱交換器、４…ドレンホース、５…通風ダクト、６…リモコン、７…化粧カバー、８…ベース、９…室内送風機、１０…熱交換室、１１…配管室、１２…換気装置室、１３…前面パネル、１４…収納部、１５…換気ダクト、１６…通風開口部、１７…背面樋、１８…換気送風機、１９…第１アダプター、２０…第２アダプター、２１…モータ、２２…露受部、２３…換気装置、２４…吹出ダクト、２５…除菌フィルター、２６…制御装置、２７…表示装置、２８…バンド、２９…切抜部、３０…第３アダプター、３１…円形パイプ状の換気ダクト、３１ａ排水部、３１ｂ貫通孔、３１ｃ…ダクト断熱材、３１ｄ…断熱部材、３２…押さえ具。
【図１】
2006207837.tif 000003
【図２】
2006207837.tif 000004
【図３】
2006207837.tif 000005
【図４】
2006207837.tif 000006
【図５】
2006207837.tif 000007
【図６】
2006207837.tif 000008
【図７】
2006207837.tif 000009
【図８】
2006207837.tif 000010
【図９】
2006207837.tif 000011
【図１０】
2006207837.tif 000012
【図１１】
2006207837.tif 000013
【図１２】
2006207837.tif 000014